Podtech/llm-jp-corpus-v4-ja_patent huggingface dataset:
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
自動車用の折り畳み式バックミラーアセンブリ（１００）であって、
−  自動車に取り付けられるベース部材（１２０）と、
−  ミラーハウジング（１３０）と、
−  前記ベース部材（１２０）と前記ミラーハウジング（１３０）のうちの少なくとも１つから形成されたシャフトハウジング（１５０）内に挿入されるように適合されたシャフト（１４０）であって、それによって、前記ミラーハウジング（１３０）は、ミラー作動状態とミラー折り畳み状態との間で、前記ベース部材（１２０）に対して回転することが可能である、シャフト（１４０）と、
−  前記シャフト（１４０）に関連付けられ、前記シャフト（１４０）を通じて前記ベース部材（１２０）と前記ミラーハウジング（１３０）の両方に力が加えられるように配置された弾性要素（１６０）と、
−  前記シャフト（１４０）を前記シャフトハウジング（１５０）内で少なくとも軸方向に保持する手段であって、前記シャフトハウジング（１５０）内に形成された対応する溝（１５５’、１５５’’）を通過するのに好適な、前記シャフト（１４０）から径方向外側に延伸している少なくとも１つの突出部（２１０’、２１０’’）を備える手段（２００）と、
−  前記シャフト（１４０）が前記シャフトハウジング（１５０）から解放されることを防止する安全手段であって、前記ミラーハウジング（１３０）内に形成された第１のストップ部（３１０）及び前記シャフト（１４０）内に形成された第２のストップ部（３２０）を備える安全手段とを備え、
前記第１のストップ部（３１０）と前記第２のストップ部（３２０）は、前記シャフト（１４０）と前記ミラーハウジング（１３０）との第１の相対的角度位置においては、前記第１のストップ部（３１０）と前記第２のストップ部（３２０）の両方が互いに干渉せず、それによって前記シャフト（１４０）が前記シャフトハウジング（１５０）内に挿入され得、前記シャフト（１４０）と前記ミラーハウジング（１３０）との、別の異なる第２の相対的角度位置においては、前記第１のストップ部（３１０）と前記第２のストップ部（３２０）の両方が互いに干渉し、それによって、シャフト保持手段（２００）の故障時に、前記弾性要素（１６０）の動作によって前記シャフト（１４０）が前記シャフトハウジング（１５０）から解放されることが防止されるように配置された、アセンブリ。
【請求項２】
前記第１のストップ部（３１０）は、前記シャフト保持手段（２００）の故障時に、前記弾性要素（１６０）の効果によって前記第２のストップ部（３２０）に衝突するように構成された、請求項１に記載のアセンブリ（１００）。
【請求項３】
前記第１のストップ部（３１０）と前記第２のストップ部（３２０）のうちの少なくとも１つは、前記シャフト保持手段（２００）の故障時に、前記弾性要素（１６０）の効果によって、前記シャフト（１４０）が前記ミラーハウジング（１３０）に衝突したときに前記第２のストップ部（３２０）の衝撃エネルギーを吸収すべく、破損するように構成された、請求項１または２に記載のアセンブリ（１００）。
【請求項４】
前記第１のストップ部（３１０）と前記第２のストップ部（３２０）のうちの前記少なくとも１つは、前記シャフト保持手段（２００）の故障時に、前記弾性要素（１６０）の効果によって、前記シャフト（１４０）が前記ミラーハウジング（１３０）に衝突したときに前記第１のストップ部（３１０）と前記第２のストップ部（３２０）のうちの前記少なくとも１つの衝撃エネルギーを吸収すべく、破損することなく変形するように構成された、請求項１から３のいずれか一項に記載のアセンブリ（１００）。
【請求項５】
前記第１のストップ部（３１０）と前記第２のストップ部（３２０）のうちの少なくとも１つは、弾性的に変形するように構成された、請求項４に記載のアセンブリ（１００）。
【請求項６】
前記第１のストップ部（３１０）と前記第２のストップ部（３２０）のうちの少なくとも１つは、塑性的に変形するように構成された、請求項４または５に記載のアセンブリ（１００）。
【請求項７】
それぞれ前記ミラーハウジング（１３０）と前記シャフト（１４０）内に形成された前記第１のストップ部（３１０）と前記第２のストップ部（３２０）は、バヨネット型の安全手段を規定している、請求項１から６のいずれか一項に記載のアセンブリ（１００）。
【請求項８】
前記第１のストップ部（３１０）と前記第２のストップ部（３２０）のうちの少なくとも１つは、複数の環状扇形を含む、請求項１から７のいずれか一項に記載のアセンブリ（１００）。
【請求項９】
前記第１のストップ部（３１０）と前記第２のストップ部（３２０）のうちの少なくとも１つは、前記シャフト（１４０）の周囲に４５度から１８０度の範囲の角延長部（α１、α２）を有する、請求項１から８のいずれか一項に記載のアセンブリ（１００）。
【請求項１０】
前記第１のストップ部（３１０）の前記角延長部（α１）は、前記第２のストップ部（３２０）の前記角延長部（α２）とは異なる、請求項１から９のいずれか一項に記載のアセンブリ（１００）。
【請求項１１】
前記対応する溝（１５５’、１５５’’）は前記ベース部材（１２０）内に形成されている、請求項１から１０のいずれか一項に記載のアセンブリ（１００）。
【請求項１２】
前記第２のストップ部（３２０）は、前記シャフト（１４０）の一端（１４５）に形成されている、請求項１から１１のいずれか一項に記載のアセンブリ（１００）。
【請求項１３】
前記保持手段（２００）は、前記シャフト（１４０）と前記ミラーハウジング（１３０）との前記第１の相対的角度位置において前記シャフトハウジング（１５０）と干渉しないように配置された、請求項１から１２のいずれか一項に記載のアセンブリ（１００）。
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
前扉を備えた遊技機であって、
前記前扉に設けられる上皿と、
前記前扉に設けられ、前記上皿から排出された遊技球が流入する流入部と、
前記前扉に設けられる所定の演出部材と、を備え、
前記前扉には、前記演出部材が配置される所定空間が設けられており
前記流入部には、所定形状のカバー部が設けられ、該カバー部が前記流入部から前記所定空間に遊技球が流出しないように前記流入部と前記所定空間との連通を遮断しており、
前記演出部材は、前記カバー部を取り外すことなく前記所定空間から取り外すことが可能であり、
前記所定空間から前記演出部材が取り外された状態にて、外部から前記所定空間を通じて前記カバー部を視認できるように構成されてなる
ことを特徴とする遊技機。
【手続補正２】
【補正対象書類名】明細書
【補正対象項目名】０００３
【補正方法】変更
【補正の内容】
【０００３】
この種の遊技機は、正面視における遊技領域の下方に、遊技領域内に打込むための遊技媒体が貯留される上皿と、上皿の下側に配置され遊技媒体が貯留される下皿とを備えている。（例えば、特許文献１）
【手続補正３】
【補正対象書類名】明細書
【補正対象項目名】０００５
【補正方法】変更
【補正の内容】
【０００５】
しかしながら、近年の遊技機においては、遊技球の貯留構成をより好適なものにすることが求められている。
【手続補正４】
【補正対象書類名】明細書
【補正対象項目名】０００６
【補正方法】変更
【補正の内容】
【０００６】
本発明は、より好適な遊技機を提案するものである。
【手続補正５】
【補正対象書類名】明細書
【補正対象項目名】０００７
【補正方法】変更
【補正の内容】
【０００７】
本発明は、
前扉を備えた遊技機であって、
前記前扉に設けられる上皿と、
前記前扉に設けられ、前記上皿から排出された遊技球が流入する流入部（例えば下皿本体３２５）と、
前記前扉に設けられる所定の演出部材と、を備え、
前記前扉には、前記演出部材が配置される所定空間（例えば取付空間３２６ｊ）が設けられており
前記流入部には、所定形状のカバー部（例えば下皿カバー３４０）が設けられ、該カバー部が前記流入部から前記所定空間に遊技球が流出しないように前記流入部と前記所定空間との連通を遮断しており、
前記演出部材は、前記カバー部を取り外すことなく前記所定空間から取り外すことが可能であり、
前記所定空間から前記演出部材が取り外された状態にて、外部から前記所定空間を通じて前記カバー部を視認できるように構成されてなる（例えば、段落０１６９〜０２１４の記載および図６、図４１〜図４７等を参照）
ことを特徴とする。
【手続補正６】
【補正対象書類名】明細書
【補正対象項目名】０００８
【補正方法】変更
【補正の内容】
【０００８】
本発明によれば、より好適な遊技機を提供することができる。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
光源を備える装置本体から光ファイバにより導光された治療レーザ光またはエイミング光を患者眼に照射する照射光学系を有するデリバリユニットであって、スリットランプ又は術者に装着され、前記患者眼に前記治療レーザ光を照射して前記患者眼を治療する眼科用レーザ治療に使用されるレーザ治療用デリバリユニットにおいて、
前記装置本体に接続する通信部と、
前記通信部を介して前記装置本体の制御部に読み出され前記制御部による前記装置本体の制御に使用される前記デリバリユニットの固有情報が記憶されたメモリと、を有すること、
を特徴とするレーザ治療用デリバリユニット。
【請求項２】
請求項１のレーザ治療用デリバリユニットにおいて、
前記デリバリユニットの固有情報には、前記光源における前記治療レーザ光または前記エイミング光の出力の補正に使用される出力補正情報が含まれること、
を特徴とするレーザ治療用デリバリユニット。
【請求項３】
請求項２のレーザ治療用デリバリユニットにおいて、
前記出力補正情報には、前記装置本体から前記光ファイバへの前記治療レーザ光または前記エイミング光の出力値に対する前記照射光学系から前記患者眼への前記治療レーザ光または前記エイミング光の出力値の比率を表す光透過率の情報が含まれること、
を特徴とするレーザ治療用デリバリユニット。
【請求項４】
請求項３のレーザ治療用デリバリユニットにおいて、
前記照射光学系は、前記治療レーザ光のスポットサイズを変更するズームレンズを備え、
前記光透過率の情報には、前記ズームレンズにより前記スポットサイズを所定値よりも小さくしたときの前記光透過率の情報が含まれること、
を特徴とするレーザ治療用デリバリユニット。
【請求項５】
光源を備える装置本体と、光ファイバと、デリバリユニットと、を有し、前記デリバリ
ユニットは、前記装置本体から前記光ファイバにより導光された治療レーザ光またはエイ
ミング光を患者眼に照射する照射光学系と、スリットランプ又は術者に装着するための装
着部材と、を備え、前記スリットランプ又は前記術者に前記デリバリユニットが装着され
た状態で前記患者眼に前記治療レーザ光を照射して前記患者眼を治療する眼科用レーザ治
療装置において、
前記デリバリユニットは、
前記装置本体に接続する通信部と、
前記デリバリユニットの固有情報が記憶されたメモリと、を備え、
前記装置本体は、前記通信部を介して前記メモリから読み出した前記デリバリユニット
の固有情報を使用して前記装置本体を制御する制御部を備えること、
を特徴とする眼科用レーザ治療装置。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
揺動または回転するリンクと、
前記リンクを駆動するための駆動力を伝達する伝達部と、
前記伝達部と前記リンクとの間に配置された、前記リンクにかかる力を検出するセンサと、
前記センサと前記伝達部との間で支持される配線部材と、
を備えていることを特徴とする駆動機構。
【請求項２】
前記伝達部は、
駆動源の回転を変速する変速機と、
前記変速機の回転を出力する出力部材と、
前記出力部材と前記センサとに接続され、前記配線部材を支持する支持部材と、
を備えていることを特徴とする請求項１に記載の駆動機構。
【請求項３】
前記変速機は波動歯車減速機であることを特徴とする請求項２に記載の駆動機構。
【請求項４】
前記支持部材は、
前記出力部材に取り付けられる第１の取付部と、
前記センサに取り付けられる第２の取付部と、
前記配線部材を保持する保持部材と、
を備えていることを特徴とする請求項２または３に記載の駆動機構。
【請求項５】
前記センサは、
前記支持部材に接続される第１部材と、
前記リンクに接続される第２部材と、を備え、
前記第１部材は、前記第２の取付部に接続されている、
ことを特徴とする請求項４に記載の駆動機構。
【請求項６】
前記センサは、
前記第１部材と前記第２部材とを連結する弾性部と、
前記第１部材と前記第２部材との相対的な変位を検出する検出ユニットと、
を備えていることを特徴とする請求項５に記載の駆動機構。
【請求項７】
前記リンクの回転軸の方向において、前記リンク、前記センサ、前記配線部材、前記伝達部の順で配置されている、
ことを特徴とする請求項１から６のいずれか１項に記載の駆動機構。
【請求項８】
前記センサは、前記駆動力と前記配線部材により生じる反力とを含んだ力を、前記リンクにかかる力として検出する、
ことを特徴とする請求項１から７のいずれか１項に記載の駆動機構。
【請求項９】
前記支持部材は、
前記出力部材に取り付けられる第１の取付部と、
前記センサに取り付けられる第２の取付部と、
前記配線部材を保持する保持部材と、
前記配線部材が巻き回されている巻線部と、
を備えていることを特徴とする請求項２または３に記載の駆動機構。
【請求項１０】
前記配線部材は、前記リンクの内部に配置されていることを特徴とする請求項１から９のいずれか１項に記載の駆動機構。
【請求項１１】
揺動または回転するリンクと、
前記リンクを駆動するための駆動力を伝達する伝達部と、
前記伝達部と前記リンクとの間に配置された、前記リンクにかかる力を検出するセンサと、
前記センサと前記伝達部との間で支持される配線部材と、
を備えていることを特徴とするロボット装置。
【請求項１２】
前記伝達部は、
駆動源の回転を変速する変速機と、
前記変速機の回転を出力する出力部材と、
前記出力部材と前記センサとに接続され、前記配線部材を支持する支持部材と、
を備えていることを特徴とする請求項１１に記載のロボット装置。
【請求項１３】
前記支持部材は、
前記出力部材に取り付けられる第１の取付部と、
前記センサに取り付けられる第２の取付部と、
前記配線部材を保持する保持部材と、
を備えていることを特徴とする請求項１２に記載のロボット装置。
【請求項１４】
前記センサは、
前記支持部材に接続される第１部材と、
前記リンクに接続される第２部材と、を備え、
前記第１部材は、前記第２の取付部に接続されている、
ことを特徴とする請求項１３に記載のロボット装置。
【請求項１５】
揺動または回転するリンクと、
前記リンクを駆動するための駆動力を伝達する伝達部と、
前記伝達部と前記リンクとの間に配置された、前記リンクにかかる力を検出するセンサと、
前記センサと前記伝達部との間で支持される配線部材と、
前記リンクの動作を制御する制御装置と、を備える駆動機構の制御方法であって、
前記制御装置は、
前記センサにより前記リンクにかかる力を検出し、
前記センサの検出結果に基づき前記リンクの動作を制御する、
ことを特徴とする駆動機構の制御方法。
【請求項１６】
揺動または回転するリンクと、
前記リンクを駆動するための駆動力を伝達する伝達部と、
前記伝達部と前記リンクとの間に配置された、前記リンクにかかる力を検出するセンサと、
前記センサと前記伝達部との間で支持される配線部材と、
前記リンクの動作を制御する制御装置と、を備えるロボット装置の制御方法であって、
前記制御装置は、
前記センサにより前記リンクにかかる力を検出し、
前記センサの検出結果に基づき前記リンクの動作を制御する、
ことを特徴とするロボット装置の制御方法。
【請求項１７】
請求項１１に記載のロボット装置を用いて物品の製造を行うことを特徴とする物品の製造方法。
【請求項１８】
請求項１５または１６に記載の制御方法を実行可能な制御プログラム。
【請求項１９】
請求項１８に記載の制御プログラムを記録した、コンピュータで読み取り可能な記録媒体。
【手続補正２】
【補正対象書類名】明細書
【補正対象項目名】発明の名称
【補正方法】変更
【補正の内容】
【発明の名称】駆動機構、ロボット装置、駆動機構の制御方法、ロボット装置の制御方法、物品の製造方法、制御プログラム、及び記録媒体
【手続補正３】
【補正対象書類名】明細書
【補正対象項目名】０００１
【補正方法】変更
【補正の内容】
【０００１】
本発明は、駆動機構、ロボット装置、駆動機構の制御方法、ロボット装置の制御方法、物品の製造方法、制御プログラム、及び記録媒体に関する。
【手続補正４】
【補正対象書類名】明細書
【補正対象項目名】０００９
【補正方法】変更
【補正の内容】
【０００９】
本発明の駆動機構は、揺動または回転するリンクと、前記リンクを駆動するための駆動力を伝達する伝達部と、前記伝達部と前記リンクとの間に配置された、前記リンクにかかる力を検出するセンサと、前記センサと前記伝達部との間で支持される配線部材と、を備えていることを特徴とする。
【手続補正５】
【補正対象書類名】明細書
【補正対象項目名】００１０
【補正方法】変更
【補正の内容】
【００１０】
本発明によれば、リンクに作用した外力を高感度かつ高精度に検知することができる。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
被加工物から輪郭形成された構造を形成するための方法であって、
第１の側面及び第２の側面を含み、約２インチ以下の厚さを有している被加工物を提供することと、
前記被加工物の前記第１の側面がディープローリングツールに接近可能であるように、前記被加工物を固定具に位置付けることと、
前記ディープローリングツールで前記被加工物の前記第１の側面に圧縮力を印加することと、
前記被加工物の第１の部分の表面または当該表面の付近に局在する残留圧縮応力を導入するために前記圧縮力を印加し続ける間、前記被加工物に対して前記ディープローリングツールを移動させることと、
前記被加工物の第２の部分に接触するように前記ディープローリングツールを調節すること、及び前記被加工物の前記第２の部分の表面または当該表面の付近に局在する残留圧縮応力を導入するために前記被加工物に対して前記ディープローリングツールを移動させることと、
前記被加工物の一又は複数の追加部分に接触するように前記ディープローリングツールを調節すること、及び前記被加工物の前記一又は複数の追加部分の表面または当該表面の付近に局在する残留圧縮応力を導入するため、そして前記被加工物に１インチから３００フィートの半径を有する凸状の輪郭を導入するために前記被加工物に対して前記ディープローリングツールを移動させることと
を含む方法。
【請求項２】
前記ディープローリングツールが、０．０５インチから１インチの直径を有している球状ボール、又は各々が直径０．１インチ長さ０．２５インチから直径３．０インチ長さ１２インチの寸法を有している一又は複数の円筒を備える、請求項１に記載の方法。
【請求項３】
前記被加工物の前記第１の部分、前記第２の部分、及び前記追加部分が各々、（ａ）複数の平行な隣接線分、及び（ｂ）前記被加工物の前記第１の側面における正方形又は長方形のエリアのうちの少なくとも１つを含む、請求項１に記載の方法。
【請求項４】
前記ディープローリングツールによって前記被加工物の部分に印加される圧縮力の量が、０．１ｋｓｉから３０ｋｓｉの範囲である、請求項１に記載の方法。
【請求項５】
前記被加工物に対して前記ディープローリングツールを移動させることが、０．０１インチ／秒から１０インチ／秒の速度で前記ディープローリングツールを移動させることを含み、
前記被加工物の前記第１の部分、前記第２の部分、又は前記一又は複数の追加部分の表面または当該表面の付近に局在する残留圧縮応力を導入するために、前記被加工物に対して前記ディープローリングツールを移動させることが、１回から１０回まで前記被加工物の同一部分の上方で前記ディープローリングツールを移動させることを含む、請求項１に記載の方法。
【請求項６】
前記ディープローリングツールによる残留圧縮応力の導入後の前記輪郭形成された構造の前記第１の側面の表面粗さが、前記ディープローリングツールによる残留圧縮応力の導入前の前記被加工物の前記第１の側面の表面粗さ以下である、請求項１に記載の方法。
【請求項７】
前記被加工物が金属又は複合材を含む、請求項１に記載の方法。
【請求項８】
前記被加工物の前記第１の部分に残留圧縮応力を導入するために前記ディープローリングツールにより印加される力の量が変動する、請求項１に記載の方法。
【請求項９】
前記被加工物の前記第２の側面の一部の表面または当該表面の付近に局在する残留圧縮応力を導入するために、第２のディープローリングツールで前記被加工物の前記第２の側面に別の圧縮力を印加すること
を更に含み、
前記第２の側面に前記別の圧縮力を印加することが、前記第１の側面に前記圧縮力が印加されるのと同時に起こる、請求項１に記載の方法。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
複数種類の属性のうちの１以上の前記属性を有する複数の選手キャラクタから、１または複数の選手キャラクタを選出するゲームシステムであって、
前記選手キャラクタが有する前記属性に係る属性条件と、当該属性条件を満たす前記選手キャラクタの選出確率に係るパラメータとが、各々に関連付けられた１以上のスカウトキャラクタの選択を受け付ける選択受付手段と、
前記選択受付手段により複数の前記スカウトキャラクタの選択を受け付けた場合、当該複数のスカウトキャラクタにそれぞれ関連付けられた複数の前記パラメータを用いて、当該複数のスカウトキャラクタにそれぞれ関連付けられた複数の前記属性条件を満たす前記選手キャラクタが選出される可能性に関する情報を通知する通知手段と、
前記複数のパラメータを用いて、前記複数の属性条件を満たす前記選手キャラクタを選出する選出手段と、
を含むゲームシステム。
【請求項２】
複数種類の属性のうちの１以上の前記属性を有する複数の選手キャラクタから、１または複数の選手キャラクタを選出するゲームをコンピュータに実行させるプログラムであって、
前記選手キャラクタが有する前記属性に係る属性条件と、当該属性条件を満たす前記選手キャラクタの選出確率に係るパラメータとが、各々に関連付けられた１以上のスカウトキャラクタの選択を受け付ける選択受付手段と、
前記選択受付手段により複数の前記スカウトキャラクタの選択を受け付けた場合、当該複数のスカウトキャラクタにそれぞれ関連付けられた複数の前記パラメータを用いて、当該複数のスカウトキャラクタにそれぞれ関連付けられた複数の前記属性条件を満たす前記選手キャラクタが選出される可能性に関する情報を通知する通知手段と、
前記複数のパラメータを用いて、前記複数の属性条件を満たす前記選手キャラクタを選出する選出手段と、
を実行させるプログラム。
【請求項３】
複数種類の属性のうちの１以上の前記属性を有する複数の選手キャラクタから、１または複数の選手キャラクタを選出するゲーム制御装置であって、
前記選手キャラクタが有する前記属性に係る属性条件と、当該属性条件を満たす前記選手キャラクタの選出確率に係るパラメータとが、各々に関連付けられた１以上のスカウトキャラクタの選択を受け付ける選択受付手段と、
前記選択受付手段により複数の前記スカウトキャラクタの選択を受け付けた場合、当該複数のスカウトキャラクタにそれぞれ関連付けられた複数の前記パラメータを用いて、当該複数のスカウトキャラクタにそれぞれ関連付けられた複数の前記属性条件を満たす前記選手キャラクタが選出される可能性に関する情報を通知する通知手段と、
前記複数のパラメータを用いて、前記複数の属性条件を満たす前記選手キャラクタを選出する選出手段と、
を含むことを特徴とするゲーム制御装置。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
印刷媒体に印刷する印刷部と、
前記印刷部により印刷する文字を示す文字情報と、前記文字の装飾を示す装飾情報とを含む印刷データを取得する取得部と、
前記印刷データに基づいて、前記印刷部を制御する制御部と、を備え、
前記制御部は、
前記文字情報に対応するフォントデータを、行単位で展開した展開データを生成する生成工程と、
生成した前記展開データに基づき、行単位で、行方向の上部、又は、下部に所定の余白があるか否かを判定する判定工程と、
前記展開データのうち、前記所定の余白があると判定した行には、前記所定の余白を削減する削減工程と、
前記所定の余白を削除した前記展開データに基づいて、前記印刷部の印刷処理を行う印刷工程と、を実行し、
前記制御部は、前記展開データのうち、前記装飾情報による前記装飾のある行には、前記所定の余白を削減しないで、前記印刷工程を実行することを特徴とする印刷装置。
【請求項２】
前記所定の余白は、前記フォントデータを規定するドット単位で、２ドット以上の余白である請求項１に記載の印刷装置。
【請求項３】
前記所定の装飾情報は、前記展開データの行方向の上部、又は、下部への装飾を指示する情報であり、
前記下部への装飾を指示する前記情報は、下線を指示する情報を含む請求項１又は２に記載の印刷装置。
【請求項４】
前記文字情報に対応する前記フォントデータを記憶する記憶部を備え、
前記制御部は、前記生成工程で、前記文字情報に対応する前記フォントデータを前記記憶部から読み出して、前記展開データを生成する請求項１から３のいずれかに記載の印刷装置。
【請求項５】
外部装置から文字コードとコマンドを受信する受信部と、
前記文字コードに対応するフォントデータを記憶する記憶部と、
前記受信部により受信した前記文字コードに対応する前記フォントデータを前記記憶部から読み出して、行単位で展開データとして生成する制御部と、
前記展開データに基づいて印刷する印刷部と、を備え、
前記制御部は、
前記展開データの行方向の上部、又は、下部に余白データがある場合、所定の前記余白データを残して、前記余白データを削除し、
前記受信部が前記文字コードに係る所定の装飾コマンドを受信した場合、前記フォントデータに装飾を施して前記行単位で前記展開データを生成し、前記展開データの行方向の上部、又は、下部に前記余白データがあっても、前記余白データを削除しない、ことを特徴とする印刷装置。
【請求項６】
前記制御部は、前記余白データを削減する場合、前記フォントデータを構成するドット単位で少なくとも１ドット以上の前記余白データを残して削減し、
前記文字コードは、１バイトで構成されるか、又は、アルファニューメリックの文字に係るものである、請求項５に記載の印刷装置。
【請求項７】
外部装置と接続可能な印刷装置の制御方法であって、
前記外部装置から文字コードを受信し、前記文字コードに対応するフォントデータを行単位で展開データとして生成して印刷し、
前記展開データを生成する際、
前記展開データの行方向の上部、又は、下部に余白データがある場合、所定の前記余白データを残して、前記余白データを削除し、
前記文字コードに係る所定の装飾コマンドを受信した場合は、前記フォントデータに所定の装飾を施して前記行単位で前記展開データを生成し、前記展開データの行方向の上部、又は、下部に前記余白データがあっても、前記余白データを削除しないことを特徴とする印刷装置の制御方法。
【請求項８】
前記余白データを削除する場合、前記フォントデータを構成するドット単位で少なくとも１ドット以上の前記余白データを残して削除し、
前記文字コードは、１バイトで構成されるか、又は、アルファニューメリックの文字に係るものである、請求項７に記載の印刷装置の制御方法。
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
ゲーム端末から位置情報を受信する位置情報受信部と、
ゲーム端末から、複数のアイコンの中からプレイヤにより選択されたアイコンに対応するグループ要求を受信するグループ要求受信部と、
所定の範囲内に位置している複数のゲーム端末から同一のグループ要求が送信された場合、当該複数のゲーム端末を同一のグループに対応付ける管理部と、
を備えるゲームサーバ。
【請求項２】
ゲーム端末から位置情報を受信する位置情報受信部と、
ゲーム端末から、複数のアイコンの中からプレイヤにより選択されたアイコンの組合せに対応するグループ要求を受信するグループ要求受信部と、
所定の範囲内に位置している複数のゲーム端末から同一のグループ要求が送信された場合、当該複数のゲーム端末を同一のグループに対応付ける管理部と、
を備えるゲームサーバ。
【請求項３】
前記管理部は、制限時間内において、前記複数のゲーム端末から同一のグループ要求が送信された場合、当該複数のゲーム端末を同一のグループに対応付ける、
ことを特徴とする請求項１又は２に記載のゲームサーバ。
【請求項４】
グループに共通の敵キャラクタに関する情報を同一のグループに対応付けられた各ゲーム端末に送信するゲーム提供部を、
更に備える請求項１−３の何れか１項に記載のゲームサーバ。
【請求項５】
位置情報をゲームサーバに送信する位置情報送信部と、
複数のアイコンの中からプレイヤにより選択されたアイコンに対応するグループ要求をゲームサーバに送信するグループ要求送信部と、
ゲームサーバからゲーム設定情報を受信する設定情報受信部と、
を備え、
前記ゲーム設定情報は、所定の範囲内に位置しており、同一のグループ要求を送信した複数のゲーム端末に共通して送信される情報である、
ことを特徴とするゲーム端末。
【請求項６】
位置情報をゲームサーバに送信する位置情報送信部と、
複数のアイコンの中からプレイヤにより選択されたアイコンの組合せに対応するグループ要求をゲームサーバに送信するグループ要求送信部と、
ゲームサーバからゲーム設定情報を受信する設定情報受信部と、
を備え、
前記ゲーム設定情報は、所定の範囲内に位置しており、同一のグループ要求を送信した複数のゲーム端末に共通して送信される情報である、
ことを特徴とするゲーム端末。
【請求項７】
前記ゲーム設定情報は、制限時間内に同一のグループ要求を送信した複数のゲーム端末に共通して送信される情報である、
ことを特徴とする請求項５又は６に記載のゲーム端末。
【請求項８】
前記設定情報受信部は、前記ゲーム設定情報として、敵キャラクタに関する情報を受信する、
ことを特徴とする請求項５−７の何れか１項に記載のゲーム端末。
【請求項９】
ゲームサーバを、
ゲーム端末から位置情報を受信する位置情報受信手段、
ゲーム端末から、複数のアイコンの中からプレイヤにより選択されたアイコンに対応するグループ要求を受信するグループ要求受信手段、
所定の範囲内に位置している複数のゲーム端末から同一のグループ要求が送信された場合、当該複数のゲーム端末を同一のグループに対応付ける管理手段、
として機能させるゲームサーバプログラム。
【請求項１０】
ゲームサーバを、
ゲーム端末から位置情報を受信する位置情報受信手段、
ゲーム端末から、複数のアイコンの中からプレイヤにより選択されたアイコンの組合せに対応するグループ要求を受信するグループ要求受信手段、
所定の範囲内に位置している複数のゲーム端末から同一のグループ要求が送信された場合、当該複数のゲーム端末を同一のグループに対応付ける管理手段、
として機能させるゲームサーバプログラム。
【請求項１１】
ゲーム端末を、
位置情報をゲームサーバに送信する位置情報送信手段、
複数のアイコンの中からプレイヤにより選択されたアイコンに対応するグループ要求をゲームサーバに送信するグループ要求送信手段、
ゲームサーバからゲーム設定情報を受信する設定情報受信手段、
として機能させ、
前記ゲーム設定情報は、所定の範囲内に位置しており、同一のグループ要求を送信した複数のゲーム端末に共通して送信される情報である、
ことを特徴とするゲーム端末プログラム。
【請求項１２】
ゲーム端末を、
位置情報をゲームサーバに送信する位置情報送信手段、
複数のアイコンの中からプレイヤにより選択されたアイコンの組合せに対応するグループ要求をゲームサーバに送信するグループ要求送信手段、
ゲームサーバからゲーム設定情報を受信する設定情報受信手段、
として機能させ、
前記ゲーム設定情報は、所定の範囲内に位置しており、同一のグループ要求を送信した複数のゲーム端末に共通して送信される情報である、
ことを特徴とするゲーム端末プログラム。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
液体を吐出口する複数の吐出口を備える液体吐出ヘッドを有する液体吐出装置であって、
前記複数の吐出口に連通する前記液体吐出ヘッドの複数の領域に液体を供給する供給路と、
吐出データに基づいて前記液体吐出ヘッドから液体が吐出されるときに、前記複数の領域毎の液体流量のうちの少なくとも１つが所定量を越える場合に、前記領域毎の前記液体流量が前記所定量以下となるように、前記液体吐出ヘッドからの単位時間当たりの液体の吐出量を制御する制御手段と、
を備えることを特徴とする液体吐出装置。
【請求項２】
前記複数の吐出口から液体を吐出させるための吐出データに基づいて、前記液体流量を算出する算出手段を備えることを特徴とする請求項１に記載の液体吐出装置。
【請求項３】
前記液体吐出ヘッドと、前記液体吐出ヘッドから吐出される液体が付与される媒体と、を相対移動させる移動手段を備え、
前記制御手段は、前記液体吐出ヘッドが液体を吐出する吐出周波数と、前記移動手段の移動速度と、を制御することを特徴とする請求項１または２に記載の液体吐出装置。
【請求項４】
前記複数の領域に対して、各々前記供給路が設けられていることを特徴とする請求項１から３のいずれか１項に記載の液体吐出装置。
【請求項５】
前記領域は、前記供給路が設けられる領域と、前記供給路が設けられない領域と、を含むことを特徴とする請求項１から３のいずれか１項に記載の液体吐出装置。
【請求項６】
前記供給路は、前記吐出口の複数ずつに対応する前記領域の単位で分岐されることを特徴とする請求項１から５のいずれか１項に記載の液体吐出装置。
【請求項７】
前記複数の吐出口は、複数の吐出口列を形成するように配列され、
前記供給路は、前記吐出口列毎に対応する前記領域の単位で分岐されることを特徴とする請求項１から５のいずれか１項に記載の液体吐出装置。
【請求項８】
前記液体吐出ヘッドは、前記吐出口が形成された複数の液体吐出基板を備え、
前記供給路は、前記液体吐出基板毎に対応する前記領域の単位で分岐されることを特徴とする請求項１から５のいずれか１項に記載の液体吐出装置。
【請求項９】
前記液体吐出ヘッドは、前記複数の吐出口に連通する複数の流路と、前記複数の流路の複数ずつに連通する複数の開口と、を備え、
前記供給路は、前記開口毎に対応する前記領域の単位で分岐されることを特徴とする請求項１から５のいずれか１項に記載の液体吐出装置。
【請求項１０】
前記液体吐出ヘッドは、液体を吐出するための吐出エネルギー発生素子と、前記吐出エネルギー発生素子を内部に備える圧力室と、前記圧力室から液体を回収する回収路と、を含み、
前記液体吐出装置は、前記供給路、前記圧力室および前記回収路を介して液体を循環させる循環手段を備えることを特徴とする請求項１から９のいずれか１項に記載の液体吐出装置。
【請求項１１】
請求項１から１０のいずれか１項に記載の液体吐出装置を含むインクジェット記録装置であって、
前記液体吐出ヘッドは、前記供給路を通して供給される液体のインクを前記複数の吐出口から吐出可能なインクジェット液体吐出ヘッドであり、
前記インクジェット記録装置は、前記インクジェット液体吐出ヘッドと、前記インクジェット液体吐出ヘッドから吐出されるインクが付与される記録媒体と、を相対移動させる移動手段を備えることを特徴とするインクジェット記録装置。
【請求項１２】
液体吐出ヘッドの複数の吐出口から液体を吐出させる液体吐出方法であって、
前記複数の吐出口に連通する前記液体吐出ヘッドの複数の領域のそれぞれに、前記複数の領域に対応する複数の供給路を通して液体を供給する工程と、
吐出データに基づいて前記液体吐出ヘッドから液体が吐出されるときに、前記複数の領域毎の液体流量のうちの少なくとも１つが所定量を越える場合に、前記領域毎の前記液体流量が前記所定量以下となるように、前記液体吐出ヘッドからの単位時間当たりの液体の吐出量を制御する工程と、
を含むことを特徴とする液体吐出方法。
【手続補正２】
【補正対象書類名】明細書
【補正対象項目名】０００７
【補正方法】変更
【補正の内容】
【０００７】
本発明の液体吐出装置は、液体を吐出口する複数の吐出口を備える液体吐出ヘッドを有する液体吐出装置であって、前記複数の吐出口に連通する前記液体吐出ヘッドの複数の領域に液体を供給する供給路と、吐出データに基づいて前記液体吐出ヘッドから液体が吐出されるときに、前記複数の領域毎の液体流量のうちの少なくとも１つが所定量を越える場合に、前記領域毎の前記液体流量が前記所定量以下となるように、前記液体吐出ヘッドからの単位時間当たりの液体の吐出量を制御する制御手段と、を備えることを特徴とする。
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
３次元モデルを表示するアプリケーションとオペレーションシステムとを有する情報処理装置であって、
前記３次元モデルの全体のキャプチャの実行指示、または、前記３次元モデルの任意の範囲のキャプチャの実行指示を受け付ける受付手段と、
前記受付手段で前記３次元モデルの全体のキャプチャの実行指示を受け付けた場合には前記アプリケーションにキャプチャ要求を出力し、また、前記受付手段で前記３次元モデルの任意の範囲のキャプチャの実行指示を受け付けた場合には前記オペレーションシステムに前記任意の範囲のキャプチャ要求を出力する出力手段と
を備えることを特徴とする情報処理装置。
【請求項２】
前記３次元モデルの全体のキャプチャの実行指示を受け付ける全体キャプチャボタンと、前記３次元モデルの任意の範囲のキャプチャの実行指示を受け付ける範囲キャプチャボタンとを表示させるよう制御する表示制御手段を備え、
前記受付手段は、前記表示制御手段で表示された全体キャプチャボタンまたは範囲キャプチャボタンの選択の受付に基づいて前記実行指示を受け付けることを特徴とする請求項１に記載の情報処理装置。
【請求項３】
前記表示制御手段は、前記キャプチャに係る情報を設定する情報設定画面を表示し、
前記出力手段は、前記表示制御手段で表示された情報設定画面で設定された情報に基づいて、前記キャプチャ要求を出力することを特徴とする請求項２に記載の情報処理装置。
【請求項４】
前記情報を記憶する記憶手段を備え、
前記表示制御手段は、前記記憶手段に記憶されている情報を表示させるよう制御することを特徴とする請求項３に記載の情報処理装置。
【請求項５】
前記表示制御手段は、前記任意の範囲を設定する範囲設定画面を表示し、
前記出力手段は、前記表示制御手段で表示された範囲設定画面で設定された任意の範囲に基づいて、前記キャプチャ要求を出力することを特徴とする請求項２乃至４のいずれか１項に記載の情報処理装置。
【請求項６】
画面を表示するアプリケーションとオペレーションシステムとを有する情報処理装置であって、
前記画面の全体のキャプチャの実行指示、または、前記画面の任意の範囲のキャプチャの実行指示を受け付ける受付手段と、
前記受付手段で前記画面の全体のキャプチャの実行指示を受け付けた場合には前記アプリケーションにキャプチャ要求を出力し、また、前記受付手段で前記画面の任意の範囲のキャプチャの実行指示を受け付けた場合には前記オペレーションシステムに前記任意の範囲のキャプチャ要求を出力する出力手段と
を備えることを特徴とする情報処理装置。
【請求項７】
コンピュータを、請求項１乃至６のいずれかの情報処理装置として機能させるためのプログラム。
【請求項８】
３次元モデルを表示するアプリケーションとオペレーションシステムとを有する情報処理装置の処理方法であって、
前記３次元モデルの全体のキャプチャの実行指示、または、前記３次元モデルの任意の範囲のキャプチャの実行指示を受け付ける受付ステップと、
前記受付ステップで前記３次元モデルの全体のキャプチャの実行指示を受け付けた場合には前記アプリケーションにキャプチャ要求を出力し、また、前記受付ステップで前記３次元モデルの任意の範囲のキャプチャの実行指示を受け付けた場合には前記オペレーションシステムに前記任意の範囲のキャプチャ要求を出力する出力ステップと
を含むことを特徴とする情報処理装置の処理方法。
【請求項９】
画面を表示するアプリケーションとオペレーションシステムとを有する情報処理装置の処理方法であって、
前記画面の全体のキャプチャの実行指示、または、前記画面の任意の範囲のキャプチャの実行指示を受け付ける受付ステップと、
前記受付ステップで前記画面の全体のキャプチャの実行指示を受け付けた場合には前記アプリケーションにキャプチャ要求を出力し、また、前記受付ステップで前記画面の任意の範囲のキャプチャの実行指示を受け付けた場合には前記オペレーションシステムに前記任意の範囲のキャプチャ要求を出力する出力ステップと
を含むことを特徴とする情報処理装置の処理方法。
【手続補正２】
【補正対象書類名】明細書
【補正対象項目名】０００１
【補正方法】変更
【補正の内容】
【０００１】
本発明は、画面キャプチャをすることが可能な情報処理装置、その処理方法、及びプログラムに関する。
【手続補正３】
【補正対象書類名】明細書
【補正対象項目名】００１０
【補正方法】変更
【補正の内容】
【００１０】
本発明の目的を達成するための、３次元モデルを表示するアプリケーションとオペレーションシステムとを有する情報処理装置であって、前記３次元モデルの全体のキャプチャの実行指示、または、前記３次元モデルの任意の範囲のキャプチャの実行指示を受け付ける受付手段と、前記受付手段で前記３次元モデルの全体のキャプチャの実行指示を受け付けた場合には前記アプリケーションにキャプチャ要求を出力し、また、前記受付手段で前記３次元モデルの任意の範囲のキャプチャの実行指示を受け付けた場合には前記オペレーションシステムに前記任意の範囲のキャプチャ要求を出力する出力手段とを備えることを特徴とする。
【手続補正書】
【提出日】平成31年4月12日(2019.4.12)
【手続補正１】
【補正対象書類名】明細書
【補正対象項目名】発明の名称
【補正方法】変更
【補正の内容】
【発明の名称】蓄電装置
【手続補正２】
【補正対象書類名】特許請求の範囲
【補正対象項目名】全文
【補正方法】変更
【補正の内容】
【特許請求の範囲】
【請求項１】
正極と、負極と、外装体と、電解質と、を有し、
前記正極は、正極集電体と、前記正極集電体と接する正極活物質層と、を有し、
前記負極は、負極集電体と、前記負極集電体と接する負極活物質層と、を有し、
前記正極活物質層と、前記負極活物質層とは、互いに重なり、
前記正極活物質層の外周は、閉曲線状であり、
前記負極活物質層の外周は、閉曲線状であり、
前記外装体は、フィルムを有し、
前記外装体は、熱圧着領域を有し、
前記熱圧着領域の内周は、閉曲線状であり、
前記電解質、前記正極活物質層、及び前記負極活物質層は、前記熱圧着領域に囲まれる領域に位置する蓄電装置。
【請求項２】
正極と、負極と、外装体と、電解質と、を有し、
前記正極は、正極集電体と、前記正極集電体と接する正極活物質層と、を有し、
前記負極は、負極集電体と、前記負極集電体と接する負極活物質層と、を有し、
前記正極活物質層と、前記負極活物質層とは、互いに重なり、
前記正極活物質層の外周は、閉曲線状であり、
前記負極活物質層の外周は、閉曲線状であり、
前記外装体は、開口を有するフィルムを有し、
前記外装体は、第１の熱圧着領域と、第２の熱圧着領域とを有し、
前記第１の熱圧着領域は、前記第２の熱圧着領域に囲まれ、
前記第１の熱圧着領域の外周は、閉曲線状であり、
前記第２の熱圧着領域の内周は、閉曲線状であり、
前記電解質、前記正極活物質層、及び前記負極活物質層は、前記第１の熱圧着領域と、前記第２の熱圧着領域の間の領域に位置し、
前記正極集電体は、前記開口に突出する部分を有し、
前記負極集電体は、前記開口に突出する部分を有する蓄電装置。
【請求項３】
請求項２において、
前記正極活物質層は、第１の開口を有し、
前記負極活物質層は、第２の開口を有し、
前記開口は、前記第１の開口と重なり且つ前記第２の開口と重なる領域を有する蓄電装置。
【請求項４】
正極と、負極と、正極リードと、負極リードと、外装体と、電解質と、を有し、
前記正極は、正極集電体と、前記正極集電体と接する正極活物質層と、を有し、
前記負極は、負極集電体と、前記負極集電体と接する負極活物質層と、を有し、
前記正極活物質層と、前記負極活物質層は、互いに重なり、
前記正極活物質層の外周は、閉曲線状であり、
前記負極活物質層の外周は、閉曲線状であり、
前記外装体は、開口を有するフィルムを有し、
前記外装体は、第１の熱圧着領域と、第２の熱圧着領域とを有し、
前記第１の熱圧着領域は、前記第２の熱圧着領域に囲まれ、
前記第１の熱圧着領域の外周は、閉曲線状であり、
前記第２の熱圧着領域の内周は、閉曲線状であり、
前記電解質、前記正極活物質層、及び前記負極活物質層は、前記第１の熱圧着領域と、前記第２の熱圧着領域の間の領域に位置し、
前記正極リードは、前記第１の熱圧着領域と、前記第２の熱圧着領域の間の領域において、前記正極集電体と電気的に接続され、
前記正極リードは、前記開口に突出する部分を有し、
前記負極リードは、前記第１の熱圧着領域と、前記第２の熱圧着領域の間の領域において、前記負極集電体と電気的に接続され、
前記負極リードは、前記開口に突出する部分を有する蓄電装置。
【請求項５】
請求項１乃至４のいずれか一において、
前記フィルムは、凸部または凹部を有する蓄電装置。
【請求項６】
請求項１乃至５のいずれか一において、
可撓性を有する蓄電装置。
【手続補正書】
【提出日】平成31年2月14日(2019.2.14)
【手続補正１】
【補正対象書類名】明細書
【補正対象項目名】発明の名称
【補正方法】変更
【補正の内容】
【発明の名称】蓄電装置
【手続補正２】
【補正対象書類名】特許請求の範囲
【補正対象項目名】全文
【補正方法】変更
【補正の内容】
【特許請求の範囲】
【請求項１】
正極、負極、セパレータ、及び電解液を有し、
前記セパレータは、前記正極と前記負極の間に位置し、
前記セパレータは、ポリフェニレンサルファイドを有し、
前記電解液は、イオン液体及びアルカリ金属塩を有する、蓄電装置。
【請求項２】
請求項１において、
前記アルカリ金属塩は、リチウム塩である、蓄電装置。
【請求項３】
請求項１又は２において、
前記イオン液体は、カチオン及びアニオンを有し、
前記カチオンは、１以上の置換基を有する５員環のヘテロ芳香環を有し、
前記１以上の置換基が有する炭素数の合計が２以上１０以下である、蓄電装置。
【請求項４】
請求項３において、
前記カチオンは、１−ブチル−３−メチルイミダゾリウムカチオンである、蓄電装置。
【請求項５】
請求項１乃至４のいずれか一項において、
前記負極は、黒鉛を有する、蓄電装置。
【請求項６】
請求項１乃至５のいずれか一項に記載の蓄電装置であり、
可撓性を有する、蓄電装置。
【請求項７】
請求項１乃至６のいずれか一項に記載の蓄電装置であり、
０℃における放電容量が、２５℃における放電容量の８０％以上であり、
１００℃における放電容量が、２５℃における放電容量の８０％以上である、蓄電装置。
【手続補正書】
【提出日】平成31年3月25日(2019.3.25)
【手続補正１】
【補正対象書類名】明細書
【補正対象項目名】発明の名称
【補正方法】変更
【補正の内容】
【発明の名称】半導体装置及びその製造方法
【手続補正２】
【補正対象書類名】特許請求の範囲
【補正対象項目名】全文
【補正方法】変更
【補正の内容】
【特許請求の範囲】
【請求項１】
基板上の第１の絶縁層と、
前記第１の絶縁層上のインジウム、元素Ｍ（Ｍは、ガリウム、アルミニウム、チタン、イットリウム、またはスズ）、および亜鉛を含む第１の酸化物絶縁体と、
前記第１の酸化物絶縁体上の酸化物半導体と、
前記酸化物半導体上のインジウム、元素Ｍ、および亜鉛を含む第２の酸化物絶縁体と、
前記第２の酸化物絶縁体上のゲート絶縁層と、
前記ゲート絶縁層上のゲート電極層と、
前記酸化物半導体上のソース電極層およびドレイン電極層と、
前記第１の絶縁層上の第２の絶縁層と、を有し、
前記酸化物半導体は、第１の領域乃至第５の領域を有し、
前記第１の領域は、前記ソース電極層と重なり、
前記第２の領域は、前記ドレイン電極層と重なり、
前記第３の領域は、前記ゲート電極層と重なり、
前記第４の領域は、前記第１の領域と前記第３の領域との間に位置し、
前記第５の領域は、前記第２の領域と前記第３の領域との間に位置し、
前記第４の領域および前記第５の領域は、元素Ｎ（Ｎは、水素、窒素、ヘリウム、ネオン、アルゴン、クリプトン、またはキセノン）を有し、
前記第２の絶縁層は、前記第１の酸化物絶縁体および前記酸化物半導体の側面と接する領域を有し、
前記基板上面と前記第２の絶縁層上面間の垂直距離は、前記基板上面と前記ソース電極層上面間の垂直距離よりも短いこと、
を特徴とする半導体装置。
【請求項２】
請求項１において、
前記第４の領域および前記第５の領域は、前記第３の領域に比して抵抗が低いこと、を特徴とする半導体装置。
【請求項３】
請求項１または請求項２において、
前記第４の領域または前記第５の領域上の前記ゲート絶縁層の上面は、前記ソース電極層または前記ドレイン電極層の上面に比して低いこと、を特徴とする半導体装置。
【請求項４】
請求項１乃至請求項３のいずれか一において、
前記第１の領域および前記第２の領域は、前記第３の領域に比して抵抗が低いこと、を特徴とする半導体装置。
【請求項５】
第１の絶縁層を形成し、
前記第１の絶縁層上に、下から順に、第１の酸化物絶縁体、酸化物半導体、第１の導電膜と積層された積層物を島状に形成し、
前記第１の絶縁層および前記第１の導電膜上に第１の絶縁膜を形成し、
前記第１の絶縁膜に平坦化処理を行い、第２の絶縁層を形成し、
マスクを用いて前記第２の絶縁層の一部をエッチングし、
前記マスクおよびエッチングされた前記第２の絶縁層を用いて、前記第１の導電膜の一部をエッチングすることにより、ソース電極層およびドレイン電極層を形成し、
前記第２の絶縁層および前記酸化物半導体上に第２の酸化物絶縁体膜を形成し、
前記第２の酸化物絶縁体膜上に第２の絶縁膜を形成し、
前記第２の絶縁膜上に第２の導電膜を形成し、
前記第２の導電膜、前記第２の絶縁膜、および前記第２の酸化物絶縁体膜に化学的機械的研磨処理を行うことにより、第２の酸化物絶縁体、ゲート絶縁層およびゲート電極層を形成し、
前記第２の絶縁層、前記第２の酸化物絶縁体、および前記ゲート絶縁層を、前記ソース電極層および前記ドレイン電極層が露出するまでエッチングし、
前記ゲート電極層、前記ソース電極層および前記ドレイン電極層をマスクとして、前記酸化物半導体にイオン添加処理をすること、
を特徴とする半導体装置の製造方法。
【請求項６】
第１の絶縁層を形成し、
前記第１の絶縁層上に、下から順に、第１の酸化物絶縁体、酸化物半導体、第１の導電膜と積層された積層物を島状に形成し、
前記第１の絶縁層および前記第１の導電膜上に第１の絶縁膜を形成し、
前記第１の絶縁膜に平坦化処理を行い、第２の絶縁層を形成し、
マスクを用いて前記第２の絶縁層の一部をエッチングし、
前記マスクおよびエッチングされた前記第２の絶縁層を用いて、前記第１の導電膜を選択的にエッチングすることにより、ソース電極層およびドレイン電極層を形成し、
前記第２の絶縁層および前記酸化物半導体上に第２の酸化物絶縁体膜を形成し、
前記第２の酸化物絶縁体膜上に第２の絶縁膜を形成し、
前記第２の絶縁膜上に第２の導電膜を形成し、
前記第２の導電膜、前記第２の絶縁膜、および前記第２の酸化物絶縁体膜に化学的機械的研磨処理を行うことにより、第２の酸化物絶縁体、ゲート絶縁層およびゲート電極層を形成し、
前記ゲート電極層をマスクとして、前記酸化物半導体にイオン添加処理をし、
第２の絶縁層をソース電極層およびドレイン電極層が露出するまでエッチングすること、
を特徴とする半導体装置の製造方法。
【請求項７】
請求項５または請求項６において、
前記イオン添加処理において、添加するイオンは、水素、窒素、ヘリウム、ネオン、アルゴン、クリプトン、キセノン、ホウ素、リン、タングステン、またはアルミニウムであること、を特徴とする半導体装置の製造方法。